(57)【要約】      （修正有）【課題】容器を収容する箱であって、箱から取り出した容器を差込み、起立させる差込穴を形成する開封補助線を簡単に視認でき、かつ差込穴を容易に開口することのできる容器起立機能付き箱を提供する。【解決手段】箱３の内部に収容されていた容器２ａ（２ｂ）を差込み起立させることができる差込穴４を該箱３に開口する開封補助線１０Ａが設けられている容器起立機能付き箱であって、開封補助線１０Ａとして、容器２ａ（２ｂ）の外周形状に沿った第１の開封補助線１１と、その開封開始部５を形成する第２の開封補助線１２が設けられている。第２の開封補助線１２が第１の開封補助線１１と交わり、第２の開封補助線１２で形成される開封開始部５が第１の開封補助線１１で囲まれる容器２ａ（２ｂ）の外周形状から突出するように形成され、第１の開封補助線１１の上記開封開始部５以外の部分に開封補助線１１に代えて折れ線加工が施されている。【選択図】図１Ａ
2006021789.tif 000002
【特許請求の範囲】
【請求項１】
箱の内部に収容されていた容器を差込み起立させることができる差込穴を該箱に開口する開封補助線が設けられている容器起立機能付き箱であって、開封補助線として、容器の外周形状に沿った第１の開封補助線と、その開封開始部を形成する第２の開封補助線が設けられており、
第２の開封補助線が第１の開封補助線と交わり、第２の開封補助線で形成される開封開始部が第１の開封補助線で囲まれる容器の外周形状から突出するように形成され、
第１の開封補助線の上記開封開始部以外の部分に開封補助線に代えて折れ線加工が施されている箱。
【請求項２】
上記折れ線加工が第１の開封補助線で囲まれた領域の開封開始部と反対側の端部に設けられている請求項１記載の箱。
【請求項３】
第１の開封補助線と第２の開封補助線がミシン目からなり、
第１の開封補助線のミシン目と第２の開封補助線のミシン目との交点において、第１の開封補助線のミシン目のカット部に、第２の開封補助線のミシン目のタイ部が当接している請求項２記載の箱。
【請求項４】
第２の開封補助線で囲まれた領域にエンボス加工又は押罫加工による段差加工ないしは印刷による易視認加工が施されている請求項１〜３のいずれかに記載の箱。
【請求項５】
互いに異なる剤を内容物とする２以上の容器が請求項１〜４のいずれかに記載の箱に収容されてなる剤混合用製品。
【請求項６】
互いに異なる剤が毛髪化粧料の第１剤と第２剤である請求項５記載の剤混合用製品。
【請求項７】
請求項５記載の剤混合用製品の箱から容器を取り出し、開封補助線に沿って切り裂くことにより箱の外壁に差込穴を開口し、開口した差込穴に取り出した容器の一方を起立保持させ、他方の容器の内容物を起立保持させた容器に入れる剤の混合方法。
【発明の詳細な説明】
【技術分野】
【０００１】
本発明は、容器を収容する箱であって、その箱内に収容されていた容器を箱の壁面に差込み、起立させることのできる容器起立機能付き箱に関する。
【背景技術】
【０００２】
二剤式毛髪化粧料として、例えば、酸化染料とアルカリ剤を含有する第１剤と、過酸化水素等の酸化剤を含有する第２剤とからなる二剤形式の染毛剤が知られている。また、アルカリ剤を含有する第１剤と過酸化水素を含有する第２剤からなる二剤形式のヘアブリーチも知られている。
【０００３】
この二剤形式毛髪化粧料には種々の製品形態のものがあり、例えば、第１剤と第２剤をそれぞれ別個の可撓性容器に収容し、それらの容器を一つの包装用の箱に収容したものが知られている。
【０００４】
二剤式毛髪化粧料では、使用時に第１剤と第２剤が混合される。両剤の混合方法としては、混合皿を使用する方法等もあるが、第２剤の容器内に第１剤を吐出し、そこで両剤を混合する方法が、別途混合皿を用意することが不要となるので好ましい。しかしながら、第１剤を収容する容器と第２剤を収容する容器は、通常、起立安定性に乏しく、第２剤の容器を手で保持しながら、第２剤の容器内に第１剤を吐出させることがなされている。
【０００５】
一方、製品を収容する箱であって、その製品を差込み、起立させ、陳列できるようにする孔をその箱に開口するため、箱の壁面にミシン目を設けた陳列兼用包装箱が提案されている（特許文献１）。
【０００６】
そこで、二剤式毛髪化粧料の容器を収容する箱にも、その箱から取り出した容器を差込み、起立できるようにする差込穴を開口できるようにすることが考えられる。
【０００７】
【特許文献１】実公昭５７−７６１５号公報
【発明の開示】
【発明が解決しようとする課題】
【０００８】
しかしながら、差込穴を箱に開口するため、箱の壁面に、単に容器が嵌合する形状にミシン目等の開封補助線を設けても、実際の開口時には開封補助線近傍の複数箇所を押し込むか、あるいは開封補助線に沿って或程度の長さを爪をたてて押し込む等の開口操作が必要とされ、ワンアクションで簡単に開口することはできない。
【０００９】
また、容器を収容する箱の表面は、通常、外装材として種々の絵柄が印刷されているため、ミシン目を開封し始めるのに適当な部位がわかりづらくなっている。
【００１０】
これに対し、本発明は、容器を収容する箱であって、箱から取り出した容器を差込み、起立させる差込穴を形成するための開封補助線を簡単に視認でき、かつ開封補助線を容易に開口することのできる容器起立機能付き箱を提供すること、及び互いに異なる剤を内容物とする２以上の容器を箱に収容した製品において、箱の利用により剤の混合を容易にすることを目的とする。
【課題を解決するための手段】
【００１１】
本発明の発明者は、容器の差込穴を開口するための開封補助線として、箱の壁面に、容器の外周形状に沿った第１の開封補助線を形成すると共に、その第１の開封補助線の開封開始部を第２の開封補助線で形成すると、開封開始部を容易に視認でき、かつ、開封開始部を押し込むことにより、差込穴を容易にワンアクションで開口できることを見出した。
【００１２】
即ち、本発明は、箱の内部に収容されていた容器を差込み起立させる差込穴を該箱に開口する開封補助線が設けられている容器起立機能付き箱であって、開封補助線として、容器の外周形状に沿った第１の開封補助線と、その開封開始部を形成する第２の開封補助線が第１の開封補助線で囲まれる領域から突出するように形成され、第１の開封補助線の上記開封開始部以外の部分に開封補助線に代えて折れ線加工が施されている箱を提供する。
【００１３】
特に、第１の開封補助線で囲まれた領域の開封開始部と反対側の端部に折れ線加工が施されている態様の箱を提供する。
【００１４】
また、本発明は、互いに異なる剤を内容物とする２以上の容器が上述の箱に収容されてなる剤混合用製品を提供し、さらにこの製品の箱から容器を取り出し、開封補助線に沿って切り裂くことにより箱の外壁に差込穴を開口し、開口した差込穴に取り出した容器の一方を起立保持させ、他方の容器の内容物を起立保持させた容器に入れる剤の混合方法を提供する。
【発明の効果】
【００１５】
本発明の箱には、該箱が収容する容器の外周形状に沿った第１の開封補助線と、その開封開始部を形成する第２の開封補助線が設けられているので、箱の壁面に絵柄が印刷されていても、開封開始部を容易に見つけることが可能となり、開封開始部を押し込むことにより、容易に容器の差込穴を開口することが可能となる。
【００１６】
また、本発明の箱によれば、第２の開封補助線が第１の開封補助線と交わり、第２の開封補助線で形成される開封開始部が第１の開封補助線で囲まれる容器の外周形状から突出するように第２の開封補助線が形成されているため、開封開始部を押し込むことにより第２の開封補助線が破れ、その破れが第１の開封補助線の破れをスムーズに誘導するので、開封開始部を押し込むというワンアクションで速やかに差込穴を開口することが可能となる。
【００１７】
特に、開封開始部以外の部分、例えば第１の開封補助線で囲まれた領域の開封開始部と反対側の端部に開封補助線に代えて折れ線加工を施すと、差込穴の開口後に、第１の開封補助線で囲まれた領域が箱の内側に折り込まれたフラップとなるので、差込穴に差し込まれた容器がフラップで差込穴の縁部に押し付けられ、また容器の底部がフラップ側に滑ることが防止され、容器の起立状態を安定させることができる。さらに、差込穴の開口時のゴミの発生を防止し、あるいは減らすことができる。
【００１８】
本発明の剤混合用製品によれば、互いに異なる剤を内容物とする２以上の容器が本発明の箱に収容されているので、箱から容器を取り出した後、差込穴を簡単に開口し、そこに一方の容器を差込み起立保持させることができる。したがって、他方の容器から起立保持させた容器に内容物を移すことにより、双方の剤の混合を手軽に行うことができる。
【発明を実施するための最良の形態】
【００１９】
以下、図面を参照しつつ本発明を詳細に説明する。なお、各図中、同一符号は、同一又は同等の構成要素を表している。
【００２０】
図１Ａは、本発明の一実施例の毛髪化粧品の箱であって、差込穴の開口前の斜視図、図１Ｂは、その開口後の斜視図、図１Ｃは、差込穴に容器を差し込み、起立させた状態の斜視図である。図２は、この箱に形成されている開封補助線の説明図である。
【００２１】
この毛髪化粧品１は、二剤式毛髪化粧料を構成する第１剤の容器２ａと第２剤の容器２ｂを、これらの容器２ａ、２ｂの起立機能付き箱３に収容したものである。
【００２２】
起立機能付き箱３は、板紙、プラスチックシート等から形成されており、容器２ａ、２ｂを該箱３から取り出した後、図１Ｃに示すように、一方の容器２ａ（２ｂ）を差込穴４に差込み、起立させるため、差込穴４を開口するための開封補助線１０Ａを該箱３の壁面に有している。なお、第２剤容器を染毛作業の際の混合吐出容器（アプリケーター）として使用する場合には、第２剤容器２ｂに第１剤の容器２ａを加えるので、第１剤の容器２ａと第２剤の容器２ｂの外形が異なる場合、差込穴４の形状は、第２剤の容器２ｂを起立させられるように形成することが好ましい。
【００２３】
開封補助線１０Ａは、図２に示すように、容器２ａ（２ｂ）の外周形状のほぼ全周に沿った形状の第１の開封補助線１１と、第２の開封補助線１２からなり、双方ともミシン目によって形成されている。なお、本発明において、開封補助線には、ミシン目の他に、半切り線等を使用することができる。
【００２４】
第２の開封補助線１２は第１の開封補助線１１と交わり、該第２の開封補助線１２で囲まれる領域が、第１の開封補助線で囲まれる領域から半円状に突出している。この半円状の領域は、開封開始部５として機能するものであり、そこを指の腹あるいは指先で押し込める程度の広さがあればよく、第１の開封補助線１１で囲まれる領域よりも狭い。したがって、この箱３によれば、たとえ、その外表面に種々の絵柄が印刷されていても、第２の開封補助線１２で囲まれた半円状の開封開始部５が容易に視認され、そこを押し込むことにより第２の開封補助線１２を容易に開封することが可能となる。そして、第２の開封補助線１２の開封によるミシン目の破れは、第２の開封補助線１２と交わっている第１の開封補助線１１のミシン目の破れを誘導する。したがって、この実施例の箱３によれば、差込穴４全体を速やかに開口することが可能となる。
【００２５】
第１の開封補助線１１と、第２の開封補助線１２をミシン目から形成するに際しては、第１の開封補助線１１のミシン目のカット部ａ1（ミシン目上で箱の面材が切れている部分）とタイ部ｂ1（ミシン目上で箱の面材が繋がっている部分）の長さの比（ａ1／ｂ1）に対して、第２の開封補助線１２のカット部ａ2とタイ部ｂ2の比（ａ2／ｂ2）を同等ないしは小さくすることが、第１の開封補助線１１のミシン目のスムーズな破れをする点から好ましい。
【００２６】
また、第１の開封補助線１１のミシン目と第２の開封補助線１２のミシン目との交点において、第１の開封補助線のミシン目のカット部ａ1に、第２の開封補助線のミシン目のタイ部ｂ2を当接させることが好ましい（図２の拡大図参照）。これにより、第２の開封補助線１２の破れを第１の開封補助線１１の破れに一層スムーズにつなぐことができ、開封開始部５を押し込むというワンアクションで、極めて速やかに差込穴４を開口することが可能となる。これに対し、第１の開封補助線１１のミシン目のカット部ａ1 と第２の開封補助線１２のミシン目のカット部ａ2 を交わらせると、その交点から第１の開封補助線１１で囲まれた部分に破れ目ができ、第１の開封補助線１１に沿って差込穴４を開口できない場合があるので好ましくない。
【００２７】
第２の開封補助線１２で囲まれた領域には、エンボス加工又は押罫加工６を施すことが好ましい。また印刷により開封開始部を表示してもよく、これにより、開封開始部５の視認性をさらに向上させることができる。
【００２８】
さらに、この実施例の箱３において、第１の開封補助線１１で囲まれた領域の開封開始部５と反対側の端部にはミシン目を形成せず、これに代えて折れ線加工１３を施しておく。これにより、第２の開封補助線１２で囲まれた開封開始部５の視認性を相対的に向上させることができる。さらに差込穴４の開口後も第１の開封補助線１１で囲まれた領域が箱の壁面から切り離されず、箱３の内側に折り込まれたフラップ７となるので、差込穴４に差し込まれた容器２ａ（２ｂ）がフラップ７で差込穴４の縁部に押し付けられ、また容器２ａ（２ｂ）の底部がフラップ７側に滑ることが防止され、容器２ａ（２ｂ）の起立安定性を向上させることができる。特に、フラップ７の寸法を調整することにより、折り込まれたフラップ７が箱３の天面と底面との間にこれらの間隔を若干押し広げて嵌まり込むようにすると、容器２ａ（２ｂ）の起立安定性をいっそう向上させることができる。また、差込穴４の開口時のゴミの発生を防止し、あるいは減らすことができる。
【００２９】
本発明の箱は、種々の態様をとることができる。
例えば、図２の開封補助線１０Ａにおいて半円状に形成した第２の開封補助線１２を、図３の開封補助線１０Ｂに示すように、円状に閉じた形状に形成してもよい。この開封補助線１０Ｂによれば、開封開始部５を押し込むことによりその部分が押し抜かれ、その抜穴に指をかけて引き上げることにより、容易に差込穴を開口することが可能となる。
【００３０】
図４は、さらに異なる開封補助線１０Ｃであって、円状の第２の開封補助線１２で囲まれた開封開始部５を第１の開封補助線１１で囲まれた領域の両端に設け、また、折れ線加工１３を２つの開封開始部の中間にあたる位置の一方に開封補助線１１に代えて設けている。
【００３１】
本発明の剤混合用製品は、種々の実施例形態の箱に、互いに異なる剤を内容物とする２以上の容器を収容し、それらの剤の混合時に箱を利用できるようにしたものである。このような内容物としては、第１剤と第２剤からなる二剤式の毛髪化粧料、塗料、接着剤等をあげることができ、特に、好ましい例として二剤式毛髪化粧料をあげることができる。
【００３２】
剤混合用製品の使用時には、本発明の方法にしたがい、剤混合用製品の箱から容器を取り出し、開封補助線に沿って切り裂くことにより箱の外壁に差込穴を開口し、開口した差込穴に取り出した容器の一方を起立保持させ、他方の容器の内容物を起立保持させた容器に入れ、双方の剤を混合する。こうして一つの箱に収容された二剤を手軽に混合することが可能となる。
【産業上の利用可能性】
【００３３】
本発明の箱は、種々の容器の包装用の箱として使用することができ、特に、二剤式毛髪化粧料容器の箱として有用である。この他、本発明の箱は、箱に収容されていた容器を店頭等で陳列するための陳列兼用包装箱としても使用することができる。
【図面の簡単な説明】
【００３４】
【図１Ａ】本発明の一実施例の毛髪化粧品の箱であって、差込穴の開口前の斜視図である。
【図１Ｂ】図１Ａの箱の、差込穴の開口後の斜視図である。
【図１Ｃ】図１Ａの箱の差込穴に容器を差し込み、起立させた状態の斜視図である。
【図２】図１Ａの箱の開封補助線の説明図である。
【図３】他の実施例の開封補助線の説明図である。
【図４】他の実施例の開封補助線の説明図である。
【符号の説明】
【００３５】
１    毛髪化粧品
２    容器
２ａ  第１剤の容器
２ｂ  第２剤の容器
３    箱
４    差込穴
５    開封開始部
６    エンボス加工又は押罫加工
７    フラップ
１０Ａ、１０Ｂ、１０Ｃ    開封補助線
１１    第１の開封補助線
１２    第２の開封補助線
１３    折れ線加工
ａ1 、ａ2 ミシン目のカット部
ｂ1 、ｂ2 ミシン目のタイ部
【図１Ａ】
2006021789.tif 000003
【図１Ｂ】
2006021789.tif 000004
【図１Ｃ】
2006021789.tif 000005
【図２】
2006021789.tif 000006
【図３】
2006021789.tif 000007
【図４】
2006021789.tif 000008